(57)【特許請求の範囲】
【請求項１】
高架道路の床版接続部の遊間下部において前記床版の幅方向に設けられ、少なくとも２個の簡易排水部材が連接され、前記道路の前記接続部間に流れる雨水を、一端部を上流とし、他端部を下流として排水する簡易排水装置であって、
前記簡易排水部材は、少なくとも相対向する２面の側面材及び底部面材を備え、前記側面材と底部面材とが溝を形成し、前記底部面材は前記側面材の１端側から他端側に傾斜して浅底部と深底部とを形成しており、前記２面の側面材には段差により前記浅底部側の間隔が前記深底部側の間隔よりも広くなるように広幅部と狭幅部とが形成されており、
上流側の第１簡易排水部材は前記浅底部側の端部に形成された浅底壁面材、前記深底部側の端部に形成された深底壁面材、及び前記深底壁面材の下端部に連接方向に向かって突出する筒状に形成された排水口を有する簡易排水部材であり、
最下流側の第２簡易排水部材は前記深底部側の端部に形成された深底壁面材及び下記（ａ），（ｂ）のいずれかの排水口を備えている簡易排水部材であり、
前記第１簡易排水部材の前記狭幅部が前記第２簡易排水部材の前記広幅部に嵌挿して連接されていることを特徴とする簡易排水装置。
（ａ）前記深底部側の端部において前記底部面材に形成された排水口
（ｂ）前記深底壁面材の下端部に形成された排水口
【請求項２】
さらに、前記第１簡易排水部材と前記第２簡易排水部材との間に、少なくとも１個の中間簡易排水部材が介在、連接されており、
前記中間簡易排水部材は少なくとも相対向する２面の側面材及び底部面材を備え、前記側面材と底部面材とが溝を形成し、前記底部面材は前記側面材の１端側から他端側に傾斜して浅底部と深底部とを形成し、２面の前記側面材には段差により前記浅底部側の間隔が前記深底部側の間隔よりも広くなるように広幅部と狭幅部とが形成されたものであり、
前記中間簡易排水部材は前記深底部側の端部に形成された深底壁面材と、前記深底壁面材の下端部に連接方向に向かって突出する筒状に形成された排水口とを備え、
前記中間簡易排水部材が、前記広幅部が隣接する簡易排水部材の狭幅部を受容し、前記狭幅部が隣接する簡易排水部材の広幅部に嵌挿されて連接されていることを特徴とする請求項１記載の簡易排水装置。
【請求項３】
高架道路の床版長さ方向の接続部間の遊間下部において前記床版の幅方向に設けられ、前記道路の前記接続部間に流れる雨水を排水する前記床版の幅方向の両端部側の２個の第１簡易排水部材及び前記床版の幅方向の中央部の第３簡易排水部材からなる少なくとも３個の簡易排水部材が連接され、両端部を上流、中央部を下流として排水する簡易排水装置であって、
前記第１簡易排水部材は、少なくとも相対向する２面の側面材及び底部面材を備え、前記側面材と底部面材とが溝を形成し、前記底部面材は前記側面材の１端側から他端側に傾斜して浅底部と深底部とを形成しており、２面の前記側面材には段差により前記浅底部側の間隔が前記深底部側の間隔よりも広くなるように広幅部と狭幅部とが形成されており、前記第１簡易排水部材は前記浅底部側の端部に形成された浅底壁面材、前記深底部側の端部に形成された深底壁面材、及び前記深底壁面材の下端部に連接方向に向かって突出する筒状に形成された排水口を有する簡易排水部材であり、
前記第３簡易排水部材は、少なくとも相対向する２面の側面材及び底部面材を備え、前記側面材と底部面材とが溝を形成し、前記底部面材は前記側面材の両端側から中央部側に傾斜して浅底部と深底部とを形成し、前記深底部において前記底部面材又は前記側面材下端部に排水口が形成されており、２面の前記側面材の前記深底部と浅底部の間には段差により前記浅底部側の間隔が前記深底部側の間隔よりも広くなるように広幅部と狭幅部とが形成されている簡易排水部材であり、
前記第１簡易排水部材の前記狭幅部がそれぞれ前記第３簡易排水部材の前記広幅部に嵌挿して連接されていることを特徴とする簡易排水装置。
【請求項４】
さらに、前記第１簡易排水部材と前記第３簡易排水部材との間に、少なくとも１個の中間簡易排水部材が介在、連接されており、
前記中間簡易排水部材は少なくとも相対向する２面の側面材及び底部面材を備え、前記側面材と底部面材とが溝を形成し、前記底部面材は前記側面材の１端側から他端側に傾斜して浅底部と深底部とを形成し、２面の前記側面材には段差により前記浅底部側の間隔が前記深底部側の間隔よりも広くなるように広幅部と狭幅部とが形成されたものであり、
前記中間簡易排水部材は前記深底部側の端部に形成された深底壁面材と、前記深底壁面材の下端部に連接方向に向かって突出する筒状に形成された排水口とを備え、
前記中間簡易排水部材が、前記広幅部が隣接する簡易排水部材の狭幅部を受容し、前記狭幅部が隣接する簡易排水部材の広幅部に嵌挿されて連接されていることを特徴とする請求項３記載の簡易排水装置。
【請求項５】
前記段差が、前記側面材の厚さの２倍以下である請求項１〜４のいずれかに記載の簡易排水装置。
【請求項６】
高架道路の床版接続部の遊間下部において前記床版の幅方向に少なくとも２個の簡易排水部材を連接して配設し、前記道路の前記接続部間に流れる雨水を、一端部を上流とし、他端部を下流として排水する簡易排水装置の施工方法であり、
前記簡易排水部材は、少なくとも相対向する２面の側面材及び底部面材を備え、前記側面材と底部面材とが溝を形成し、前記底部面材は前記側面材の１端側から他端側に傾斜して浅底部と深底部とを形成しており、前記２面の側面材には段差により前記浅底部側の間隔が前記深底部側の間隔よりも広くなるように広幅部と狭幅部とが形成されており、
上流側の第１簡易排水部材は前記浅底部側の端部に形成された浅底壁面材、前記深底部側の端部に形成された深底壁面材、及び前記深底壁面材の下端部に連接方向に向かって突出する筒状に形成された排水口を有する簡易排水部材であり、
最下流側の第２簡易排水部材は前記深底部側の端部に形成された深底壁面材及び下記（ａ），（ｂ）のいずれかの排水口を備えている簡易排水部材であり、
前記第１簡易排水部材の前記狭幅部を前記第２簡易排水部材の前記広幅部に嵌挿して連接することを特徴とする簡易排水装置の施工方法。
（ａ）前記深底部側の端部において前記底部面材に形成された排水口
（ｂ）前記深底壁面材の下端部に形成された排水口
【請求項７】
さらに、前記第１簡易排水部材と前記第２簡易排水部材との間に、少なくとも１個の中間簡易排水部材を介在、連接する施工方法であり、
前記中間簡易排水部材は少なくとも相対向する２面の側面材及び底部面材を備え、前記側面材と底部面材とが溝を形成し、前記底部面材は前記側面材の１端側から他端側に傾斜して浅底部と深底部とを形成し、２面の前記側面材には段差により前記浅底部側の間隔が前記深底部側の間隔よりも広くなるように広幅部と狭幅部とが形成されたものであり、
前記中間簡易排水部材は前記深底部側の端部に形成された深底壁面材と、前記深底壁面材の下端部に連接方向に向かって突出する筒状に形成された排水口とを備え、
前記中間簡易排水部材を、前記広幅部が隣接する簡易排水部材の狭幅部を受容し、前記狭幅部が隣接する簡易排水部材の広幅部に嵌挿するように連接することを特徴とする請求項６記載の簡易排水装置の施工方法。
【請求項８】
高架道路の床版接続部の遊間下部において前記床版の幅方向の両端部側の２個の第１簡易排水部材及び前記床版の幅方向の中央部の第３簡易排水部材からなる少なくとも３個の簡易排水部材を連接して配設し、前記道路の前記接続部間に流れる雨水を、両端部を上流、中央部を下流として排水する簡易排水装置の施工方法であり、
前記第１簡易排水部材は、少なくとも相対向する２面の側面材及び底部面材を備え、前記側面材と底部面材とが溝を形成し、前記底部面材は前記側面材の１端側から他端側に傾斜して浅底部と深底部とを形成しており、２面の前記側面材には段差により前記浅底部側の間隔が前記深底部側の間隔よりも広くなるように広幅部と狭幅部とが形成されており、前記第１簡易排水部材は前記浅底部側の端部に形成された浅底壁面材、前記深底部側の端部に形成された深底壁面材、及び前記深底壁面材の下端部に連接方向に向かって突出する筒状に形成された排水口を有する簡易排水部材であり、
前記第３簡易排水部材は、少なくとも相対向する２面の側面材及び底部面材を備え、前記側面材と底部面材とで溝を形成しており、前記底部面材は前記側面材の両端側から中央部側に傾斜して浅底部と深底部とを形成し、前記深底部において前記底部面材又は前記側面材下端部に排水口が形成されており、２面の前記側面材の前記深底部と浅底部の間には段差により前記浅底部側の間隔が前記深底部側の間隔よりも広くなるように広幅部と狭幅部とが形成されている簡易排水部材であり、
前記第１簡易排水部材の前記狭幅部を前記第２簡易排水部材の前記広幅部に嵌挿して連接することを特徴とする簡易排水装置の施工方法。
【請求項９】
さらに、前記第１簡易排水部材と前記第３簡易排水部材との間に、少なくとも１個の中間簡易排水部材を介在、連接する施工方法であり、
前記中間簡易排水部材は少なくとも相対向する２面の側面材及び底部面材を備え、前記側面材と底部面材とで溝を形成しており、前記底部面材は前記側面材の１端側から他端側に傾斜して浅底部と深底部とを形成し、２面の前記側面材には段差により前記浅底部側の間隔が前記深底部側の間隔よりも広くなるように広幅部と狭幅部とが形成されたものであり、
前記中間簡易排水部材は前記深底部側の端部に形成された深底壁面材と、前記深底壁面材の下端部に連接方向に向かって突出する筒状に形成された排水口とを備え、
前記中間簡易排水部材を、前記広幅部が隣接する簡易排水部材の狭幅部を受容し、前記狭幅部が隣接する簡易排水部材の広幅部に嵌挿するように連接することを特徴とする請求項８記載の簡易排水装置の施工方法。
【発明の詳細な説明】
【技術分野】
【０００１】
本発明は、高架道路の床版の遊間の下部において該床版の幅方向に設けられ、道路の融雪水、降雨水や散水などの排水であって床版の接続部間に流れる雨水を排水する簡易排水装置、及び該簡易排水装置を構成する簡易排水部材に関するものである。
【背景技術】
【０００２】
高架橋や高架道路は、通常複数の橋脚や橋台上に支承を解して鋼鉄製の橋桁を設置し、該橋桁の上に鉄筋コンクリート製の床版を形成した構成を有する。床版どうしの接続部は遊間を形成して橋脚ないし橋台の上に設けられ、該遊間部の路面側には一対の櫛の歯状の部材からなる伸縮部材により接続されていて道路の融雪水、降雨水や散水などの排水は伸縮部材の間から橋脚、橋台側に落下するように構成されている。
【０００３】
しかるに、上記の高架橋や高架道路の構造では、排水が橋脚、橋桁や支承にかかるため、橋脚を構成するコンクリートの劣化、金属製の橋桁や支承の腐食がこれらに設計時に予測された以上の速さで進行し、特に融雪剤である塩化カルシウムを散布した場合にはさらに早く進行する。道路の管理の経費節減のため、排水を橋脚、橋台、橋桁、支承などの構造材にかからないようにして構造体の長寿命化とメンテナンス低減する目的で、道路の床版の間の下部に排水設備を設ける技術が公知である（特許文献１〜４など）。
【０００４】
特許文献１、２に開示の排水装置は、隣接する床版の両端部に固定する樋体を軟質の合成樹脂シートにて形成したものである。
【０００５】
特許文献３開示の発明は、床版の１方の端面部に樋体を取り付け、床版の他の端面部に該樋体に水を導水する傾斜した補助導水体を取り付けた構成を有する排水装置である。また特許文献４開示の発明は、特許文献１，２と同様に樋体を軟質樹脂シートを樋体として使用し、ワイヤーロープを使用して床版間に固定する技術である。
【０００６】
【特許文献１】実開昭４９−４１９３６号公報
【特許文献２】実開昭４９−６９２３３号公報
【特許文献３】特開２００３−３３６２１８号公報
【特許文献４】特開２００８−２４８４９４号公報
【発明の概要】
【発明が解決しようとする課題】
【０００７】
しかし、特許文献１、２に開示の樋体は、全体が一体成形されたものであるために、道路の幅が異なった場合に、樋体構成材料を該道路幅に合わせて製造しなければならないという問題を有する。特許文献３，４記載の発明では、樋体は連続したものであるために、施工現場への搬送に困難を伴う。また特許文献４記載の発明では、樋体が軟質樹脂シートで構成されており、床版の間隔の変動に追随することが容易であるという利点を有するが、強い風が吹いて樋体が強く揺らされた場合には、流れている水が飛び出してコンクリートの劣化や金属材料の腐食を十分に防止できないという問題を有する。
【０００８】
さらに、上記特許文献１〜４記載の排水装置は、いずれも排水路が一体に形成されているために、部分的に損傷が発生した場合でも全体を交換しなければならないという問題を有するものである。
【０００９】
さらに特許文献３記載の発明では、樋体は長さ方向に同一断面形状であるために、流水量の増加する下流側でのオーバーフローを防止するためには上流側も含めて全体として深いものとしなければならず、重量の軽減が難しく、かつ取付時に樋体を傾斜させる必要があって施工に問題を有するものである。
【００１０】
本発明は上記の公知技術の問題点に鑑みて、道路の幅に合わせて施工することが容易であり、取り付け時にも傾斜を設ける必要がなく、この点でも施工が容易であり、強風下でも流れている水が飛び出すことがなく、さらに排水装置が部分的に損傷を受けた場合には、部分的な補修が容易に行なうことが可能な簡易排水装置並びに該排水装置に使用する簡易排水部材を提供することを目的とする。
【課題を解決するための手段】
【００１１】
本発明の簡易排水部材は、少なくとも相対向する２面の側面材及び底部面材を備え、前記側面材と底部面材とが溝を形成し、前記底部面材は前記側面材の１端側から他端側に傾斜して浅底部と深底部とを形成し、２面の前記側面材には段差により前記浅底部側の間隔が前記深底部側の間隔よりも広くなるように広幅部と狭幅部とが形成されていることを特徴とする。
【００１２】
上記の簡易排水部材においては、さらに、前記深底部側の端部に形成された深底壁面材及び下記（ａ），（ｂ）のいずれかの排水口を備えていることが好ましい。
（ａ）前記深底部側の端部において前記底部面材に形成された排水口
（ｂ）前記深底壁面材の下端部に形成された排水口
【００１３】
上記の簡易排水部材を使用することにより、道路の幅に合わせて施工することが容易であり、取り付け時にも傾斜を設ける必要がなく、この点でも施工が容易であり、強風下でも流れている水が飛び出すことがなく、さらに排水装置が部分的に損傷を受けた場合には、部分的な補修が容易に行なうことが可能な簡易排水装置を、既存の高架道路等に施工することができる。上記の簡易排水部材を使用すると、道路床版の一端側を上流として他端側に排水口を有する排水装置を施工することができる。
【００１４】
別の本発明の簡易排水部材は、少なくとも相対向する２面の側面材及び底部面材を備え、前記側面材と底部面材とが溝を形成し、前記底部面材は前記側面材の両端側から中央部側に傾斜して浅底部と深底部とを形成し、前記深底部において前記底部面材又は前記側面材下端部に排水口が形成されており、２面の前記側面材の前記深底部と浅底部の間には段差により前記浅底部側の間隔が前記深底部側の間隔よりも広くなるように広幅部と狭幅部とが形成されていることを特徴とする。
【００１５】
上記の簡易排水部材を使用し、請求項１ないし２に記載の簡易排水部材を選択して組み合わせると、道路床版幅方向の中央部において排水口を有する排水装置を施工することができる。また上流側の溝を浅くできるので、部材並びに排水装置の重量を軽減することもできる。
【００１６】
本発明の簡易排水装置は、高架道路の床版接続部の遊間下部において前記床版の幅方向に設けられ、少なくとも２個の簡易排水部材が連接され、前記道路の前記接続部間に流れる雨水を、一端部を上流とし、他端部を下流として排水する簡易排水装置であって、
前記簡易排水部材は、少なくとも相対向する２面の側面材及び底部面材を備え、前記側面材と底部面材とが溝を形成し、前記底部面材は前記側面材の１端側から他端側に傾斜して浅底部と深底部とを形成しており、前記２面の側面材には段差により前記浅底部側の間隔が前記深底部側の間隔よりも広くなるように広幅部と狭幅部とが形成されており、
上流側の第１簡易排水部材は前記浅底部側の端部に形成された浅底壁面材を有する簡易排水部材であり、
下流側の第２簡易排水部材は前記深底部側の端部に形成された深底壁面材及び下記（ａ），（ｂ）のいずれかの排水口を備えている簡易排水部材であり、
前記第１簡易排水部材の前記狭幅部が前記第２簡易排水部材の前記広幅部に嵌挿して連接されていることを特徴とする。
（ａ）前記深底部側の端部において前記底部面材に形成された排水口
（ｂ）前記深底壁面材の下端部に形成された排水口
【００１７】
上記の簡易排水装置においては、さらに、前記第１簡易排水部材と前記第２簡易排水部材との間に、少なくとも１個の中間簡易排水部材が介在、連接されており、
前記中間簡易排水部材は、少なくとも相対向する２面の側面材及び底部面材を備え、前記側面材と底部面材とが溝を形成し、前記底部面材は前記側面材の１端側から他端側に傾斜して浅底部と深底部とを形成し、２面の前記側面材には段差により前記浅底部側の間隔が前記深底部側の間隔よりも広くなるように広幅部と狭幅部とが形成されており、前記中間簡易排水部材は、前記広幅部が隣接する簡易排水部材の狭幅部を受容し、前記狭幅部が隣接する簡易排水部材の広幅部に嵌挿して連接されていることが好ましい。
【００１８】
上記の簡易排水装置は、既存の高架道路等に道路の幅に合わせて施工することが容易であり、取り付け時にも上端部を水平にして設置すればよく、傾斜を設ける必要がなく、この点でも施工が容易であり、強風下でも流れている水が飛び出すことがなく、さらに排水装置が部分的に損傷を受けた場合には、損傷した簡易排水部材を交換するだけで補修することができ、部分的な補修が容易に行なうことが可能な簡易排水装置である。上記の簡易排水装置は、道路床版の端部側に排水口を有するものである。
【００１９】
本発明の別の簡易排水装置は、高架道路の床版長さ方向の接続部間の遊間下部において前記床版の幅方向に設けられ、前記道路の前記接続部間に流れる雨水を排水する前記床版の幅方向の両端部側の２個の第１簡易排水部材及び前記床版の幅方向の中央部の第３簡易排水部材からなる少なくとも３個の簡易排水部材が連接され、両端部を上流、中央部を下流として排水する簡易排水装置であって、
前記第１簡易排水部材は、少なくとも相対向する２面の側面材及び底部面材を備え、前記側面材と底部面材とが溝を形成し、前記底部面材は前記側面材の１端側から他端側に傾斜して浅底部と深底部とを形成しており、前記２面の側面材には段差により前記浅底部側の間隔が前記深底部側の間隔よりも広くなるように広幅部と狭幅部とが形成されており、前記第１簡易排水部材は前記浅底部側の端部に形成された浅底壁面材を有する簡易排水部材であり、
前記第３簡易排水部材は、少なくとも相対向する２面の側面材及び底部面材を備え、前記側面材と底部面材とが溝を形成し、前記底部面材は前記側面材の両端側から中央部側に傾斜して浅底部と深底部とを形成し、前記深底部において前記底部面材又は前記側面材下端部に排水口が形成されており、２面の前記側面材の前記深底部と浅底部の間には段差により前記浅底部側の間隔が前記深底部側の間隔よりも広くなるように広幅部と狭幅部とが形成されている簡易排水部材であり、
前記第１簡易排水部材の前記狭幅部がそれぞれ前記第３簡易排水部材の前記広幅部に嵌挿して連接されていることを特徴とする。
【００２０】
上述の簡易排水装置においては、前記第１簡易排水部材と前記第３簡易排水部材との間に、少なくとも１個の中間簡易排水部材が介在、連接されており、
前記中間簡易排水部材は少なくとも相対向する２面の側面材及び底部面材を備え、前記側面材と底部面材とが溝を形成し、前記底部面材は前記側面材の１端側から他端側に傾斜して浅底部と深底部とを形成し、２面の前記側面材には段差により前記浅底部側の間隔が前記深底部側の間隔よりも広くなるように広幅部と狭幅部とが形成されたものであり、
前記中間簡易排水部材が、前記広幅部が隣接する簡易排水部材の狭幅部を受容し、前記狭幅部が隣接する簡易排水部材の広幅部に嵌挿されて連接されていることが好ましい。
【００２１】
上記の簡易排水装置も、既存の高架道路等に道路の幅に合わせて施工することが容易であり、取り付け時にも上端部を水平にして設置すればよく、傾斜を設ける必要がなく、この点でも施工が容易であり、強風下でも流れている水が飛び出すことがなく、さらに部分的に損傷を受けた場合には、部分的な補修が容易に行なうことが可能な簡易排水装置である。また上記の簡易排水装置は、両端部から中央部方向に傾斜した排水路が形成されて中央部において排水口を有するものである。
【図面の簡単な説明】
【００２２】
【図１】簡易排水部材を例示した斜視図
【図２】簡易排水部材の別の形態を例示した斜視図
【図３】図２の簡易排水部材の接続に使用する中間簡易排水部材を例示した斜視図
【図４】中央部に排水口を有する簡易排水部材を例示した断面図
【図５】簡易排水部材を連接して構成した簡易排水装置の連接部を例示した部分斜視図
【図６】３個の簡易排水部材を使用して設置した簡易排水装置を例示した正面図、断面図及び上面図
【図７】パラペットを有する橋台に簡易排水装置を設置した例を示した断面図
【図８】床版幅方向に複数の簡易排水装置を設置した例を示した正面図
【発明を実施するための形態】
【００２３】
本発明の樹脂製簡易排水部材を構成する材料としては公知の材料を限定なく使用することができ、具体的には、金属、モルタル、熱可塑性樹脂や熱硬化性樹脂等の樹脂並びにこれらの樹脂をガラス繊維やカーボン繊維などで強化した繊維樹脂等を例示することができる。これらの中でも成形が容易である点で熱可塑性樹脂の使用が好ましく、係る熱可塑性樹脂材料としては、公知の熱可塑性樹脂を特に限定なく使用することができ、ポリ塩化ビニル樹脂、ポリエステル樹脂、ポリウレタン樹脂、ポリエチレンやポリプロピレンなどのポリオレフィン樹脂、ＡＢＳ樹脂等を例示することができる。これらの中でも、ポリエチレンやポリプロピレン等のポリオレフィン樹脂の使用が、低コストであり、しかも耐久性に優れている点で好ましい。簡易排水部材の成形は公知の成形方法による。
【実施例】
【００２４】
図１は本発明の簡易排水装置に使用可能な簡易排水部材を例示した斜視図（ａ）及び斜視図（ａ）におけるＸ−Ｘ断面図（ｂ）である。簡易排水部材Ｐ１は、側面材１０と底部面材２３とを備え、側面材１０と底部面材２３とで溝が構成されており、底部面材２３は、側面材の一端側から他端側に傾斜し、浅底部１２及び深底部１４を形成している。側面材１０には段差１５により浅底部１２側に広幅部１１、深底部１４側に狭幅部１３が形成されている。広幅部１１を構成する側面材１０の端部には浅底壁面材１９が、狭幅部１３を構成する側面材１０の端部には深底壁面材１７が形成されており、深底壁面材１７の下部には排水口２１が設けられている。広幅部、狭幅部のそれぞれの側面材は平行に構成されていることが好ましい。
【００２５】
図２（ａ）は本発明の簡易排水装置に使用可能な簡易排水部材の別の形態を例示した斜視図である。簡易排水部材Ｐ２は、側面材３０と底部面材４３とを備え、側面材３０と底部面材４３とで溝が構成されており、底部面材４３は、側面材の一端側から他端側に傾斜し、浅底部３２及び深底部３４を形成している。側面材３０には、側面材１０の厚さ程度の段差３５により浅底部３２側に広幅部３１、深底部３４側に狭幅部３３が形成されている。広幅部３１を構成する側面材３０の端部には浅底壁面材３９が、狭幅部３３を構成する側面材３０の端部には深底壁面材３７が形成されており、深底壁面材３７の下部には排水口４１が設けられている。図２（ｂ）に例示の簡易排水部材Ｐ３は、排水口の形成位置を除いて図２（ａ）と同じ形状であり、底部面材４３の深底部３４側の端部近傍に排水口４５が形成されている。広幅部、狭幅部のそれぞれの側面材は平行に構成されていることが好ましい。図２（ｂ）に例示の簡易排水部材Ｐ３においては、排水口４１は、側面材３０の深底部３４側の端部近傍に側面方向に向いて形成されていてもよい。
【００２６】
図３（ａ）に例示の簡易排水部材Ｐ４は、図２に例示の簡易排水部材と同様の形状を有するものであるが、浅底壁面材ならびに深底壁面材がなく、樋状を有する部材である。図３（ｂ）に例示の簡易排水部材Ｐ５は、図３（ａ）の部材の浅底部側端部に浅底壁面材３９を形成したものであり、図３（ｃ）に例示の簡易排水部材Ｐ６は、図３（ａ）の部材の深底部側端部に深底壁面材３７並びに該深底壁面材３７の下端部に排水口４１を形成したものである。図３（ａ）に例示の簡易排水部材Ｐ４において、浅底壁面材３９と深底壁面材３７の双方とを設け、深底壁面材３７の下端部に排水口４１を設けた簡易排水部材は、図２（ａ）の簡易排水部材Ｐ２となる。広幅部、狭幅部のそれぞれの側面材は平行に構成されていることが好ましい。
【００２７】
図４に例示の簡易排水部材Ｐ７は、一対の側面材５０と底面部材５４とからなり、底面部材５４は両端部から中央部方向に傾斜して両端部に浅底部５６を、中央部に深底部５８をそれぞれ形成し、深底部５８には下方に排水口５７が形成されている。排水口は中央部の深底部５８の下端部に形成してもよい。側面材５０には、両端部の浅底部５６と中央部の深底部５８の間において段差、好ましくは側面材５０の厚さ程度の段差５５により、両端部側に広幅部５１が、中央部に狭幅部５３が、それぞれ形成されている。図４に例示の簡易排水部材Ｐ７においては、排水口５７は、側面材５０の深底部５８側の端部近傍に側面方向に向いて形成されていてもよい。
【００２８】
本発明の簡易排水装置Ｍは、上記の簡易排水部材を単独又は連接使用して構成する。連接する方法を図５に例示した。図５においては、図３（ａ）例示の簡易排水部材Ｐ４を使用した例を斜視図にて示した。２個のＰ２の形状を有する簡易排水部材Ｐｂ，Ｐｃは、簡易排水部材Ｐｂの狭幅部３３ｂを隣接する簡易排水部材Ｐｃの広幅部３１ｃに嵌挿することにより連接する。底面部材４３は上流側の部材が下流側の部材の上に重なるために、底面部材の間からの漏水が起こりにくくなる。嵌挿することにより生じる簡易排水部材どうしの重なり部の間に接着剤ないしシール材を介在させることは好適な態様である。浅底部が最上流側の端部を構成する簡易排水部材Ｐａとしては、浅底部側端部に浅底壁面材３９を形成したものを使用する。排水口は、排水パイプに接続して雨水等を橋脚にかからないように放流ないし貯留する。
【００２９】
上記構成の簡易排水装置によれば、上端部を水平に形成でき、水量の少ない上流側において溝を浅く形成できるので装置の軽量化が図れ、好ましい。
【００３０】
上記図３、図５に示した簡易排水部材においては、段差５５を側面材の厚さの２倍以下、より好ましくは１．５倍以下、さらに好ましくは１．２倍以下に設定することにより、連接部の側面材が面で当接するため連接部の隙間からの漏水を容易に防止することができ、好適である。図１に例示の簡易排水部材Ｐ１を複数使用して簡易排水装置を構成することも可能であり、その場合には、最上流部の簡易排水部材以外は、浅底壁面材１９を裁断除去して使用し、嵌挿する狭幅部と広幅部との間には好ましくはシール材を介在させる。
【００３１】
浅底部が最上流側の端部を構成する簡易排水部材として、浅底部側端部に浅底壁面材３９を形成したものを使用することにより、簡易排水装置の上流側から橋脚や橋台へ排水が零れ落ちることが防止され、好ましい。
【００３２】
上記の簡易排水装置Ｍにおいて、上流側に位置する簡易排水部材として、図５においては、の下流側である深底部壁面材のない簡易排水部材（Ｐ４又はＰ５）を使用した例を示したが、深底部壁面材を有する簡易排水部材（Ｐ２又はＰ６）を使用してもよい。
【００３３】
上記の簡易排水装置Ｍにおいて、流路の長さは連接する簡易排水部材Ｐの数及び簡易排水部材を嵌挿することにより生じる簡易排水部材の広幅部と狭幅部の重なり部の長さを調節することにより行なうことができる。
【００３４】
本発明の簡易排水装置Ｍの施工例を、橋脚の中央部において隣接する床版６１ａ，６１ｂの間の遊間Ｄの下方に３個の簡易排水部材Ｐａ，Ｐｂ，Ｐｃを使用して設置する例について図６に例示した。Ｐａは第１簡易排水部材に相当し，Ｐｃは第２簡易排水部材に相当し，Ｐｂは中間簡易排水部材に相当する。使用した簡易排水部材の形状は、Ｐａは図２（ａ）に示したＰ２であり、Ｐｂは図３（ｃ）に示したＰ６であり、Ｐｃは図２（ｂ）に示したＰ３の浅底壁面材３９のないものである。簡易排水部材の連接施工は図５に例示の方法により行なうことができる。
【００３５】
簡易排水装置Ｍは、床版６１ａ、６１ｂの遊間下部において、吊金具６３を使用して固定する。吊金具６３（６３ａ，６３ｂ）はＬ字状であり、一端を止めボルトにより床版下面に固定し、他端側を簡易排水部材Ｐａ〜Ｐｃの側面材３０の上部に穿設した取付穴にボルトで固定する。図６の例では、簡易排水部材Ｐは、一方の側面材上部に穿設した取付穴に幅よりも長いボルト６５を使用し、他方の側面材の上部に穿設した穴に該ボルトを挿通して支持することにより装着されている。固定する簡易排水部材Ｐａ，Ｐｂ，Ｐｃは図５に示したような構成にて連接されている。道路幅が狭い場合には第１簡易排水部材であるＰａと第２簡易排水部材であるＰｃを使用し、嵌挿した広幅部と狭幅部の重複を調整することにより施工し、さらに広い場合には、Ｐｂに相当する中間簡易排水部材をさらに介在させることにより床版の幅に応じた施工が可能となる。
【００３６】
図６に例示の簡易排水装置Ｍは、上端が床版に沿って水平に形成されている。従来の技術のように排水部材を樋のように長さ方向に一体に形成して傾斜させて設置すると、下流側では床版下面との間隔が広くなるために強風の場合に床版の遊間を落ちる水が、吹き飛ばされて橋脚にかかる場合があるが、本願発明では、上端が床版に沿って水平に形成されるために、係る問題が起こりにくいという効果が得られる。
【００３７】
図６においては、簡易排水部材Ｐａ，Ｐｂは深底壁面材と該深底壁面材の下端部に横方向に排水口とが形成された構成を有しており、最下流側の簡易排水部材Ｐｃが底面部材の深底部端部近傍に排水口が下方に形成されているが、最下流側の簡易排水部材Ｐｃについても、深底壁面材の下端部に横方向に排水口が形成された構成のものを使用してもよい。係る構成によれば、図６に例示の簡易排水装置Ｍにおいて、Ｐａ，Ｐｂ，Ｐｃを全て図２（ａ）に例示した簡易排水部材Ｐ２を使用し、Ｐｂ，ＰｃにおいてはＰ２の浅底部の浅底壁面材３９を裁断除去して図３（ｃ）のＰ６に相当する形状にして連接して構成することができる。上端は直線状になるように裁断する。裁断した樹脂材料は再利用可能である。
【００３８】
床版間の遊間が簡易排水装置の幅よりも広い場合には、図６に示したように導水パネルを使用する。導水パネル７１はく字状に折れ曲がった形状であり、一端側が簡易排水装置の遊間内の端部の上部に装着され、上端が傾斜して床版の下方内側に及ぶように設置される。導水パネルの材質は限定されるものではないが、簡易排水部材と同様に熱可塑性樹脂製、ないし傾斜を確実に保持するために裏面を金属板とし、水を受ける上面側に樹脂を積層した積層構造であってもよい。導水パネル７１は簡易排水装置の両上端部に設けてもよい。図６の例では簡易排水部材Ｍの一方の側面材は床版端面と同じ面になっているが、簡易排水部材Ｍの側面材が床版の端面よりも内部側になるように設置してもよい。係る構成にすれば床版端面に沿って落ちる水が橋台や橋脚により確実に降りかからないという効果が得られる。
【００３９】
図６に例示した簡易排水装置Ｍに使用した簡易排水部材Ｐは、図１〜４例示の簡易排水部材と比較して底面部材が中央部ほど深く形成されている。係る構成により、簡易排水装置の雨水の流れが速くなり、底面の塵，埃の堆積が抑制されるという効果が得られ、好ましい。底面部材の断面形状、即ち側面材と底面部材により構成される溝の底面の形状は、平坦、円弧状、Ｖ字状等、特に限定されるものではないが、上記のように底面の塵，埃の堆積が抑制されるという効果の観点より略浅いＶ字状であることが特に好ましい。
【００４０】
図７にはパラペットを有する橋台上の床版間に設置した例の断面図を示した。この場合、一方の床版はパラペットの側面と略同一面となるために、図６の場合のように床版の下面に吊金具を取り付けることができない。簡易排水部材Ｐは上部に穿設した取付穴を通してアンカーボルトによりパラペットに接して固定されている。簡易排水装置のパラペット接触面と反対面の上部には、図６の場合と同様に導水パネルが装着されている。簡易排水装置のパラペット接触面には、遊間Ｄの床版７１ａ、パラペット７３表面を流れる水が入り込んで、この隙間を通じて橋台に落ちる場合があるので、この漏水を防止するために、例えば、簡易排水装置のパラペット接触面の上端部にシール材ないし接着剤を施工することは好ましい態様である。
【００４１】
さらに幅の広い道路、例えば車線の多い道路、道路の合流地点や分岐地点においては、道路の一端から他端に至る簡易排水装置を施工しようとすると、簡易排水部材の底面部材が傾斜しているために、上端を図６に例示のように床版下面に沿って直線状にすると、排出口を有する最下流側端部の簡易排水部材は深さが非常に深くなり、実用的ではない。このような場合には、複数の簡易排水部材とすることが好ましい。係る例を図８に側面図にて示した。
【００４２】
図８においては、床版５１の下部幅方向に４個の簡易排水装置Ｍ１〜Ｍ４が設置された例を示した。簡易排水装置Ｍ１，Ｍ２は、両端側を上流、中央部を下流とし、中央部に図４の簡易排水部材Ｐ７を第３簡易排水部材として使用して排水口を形成したものである。簡易排水装置Ｍ３は図６において道路の一端から他端に幅全体に形成したものと同じ構成である。Ｍ４は、図２（ｂ）に例示した簡易排水部材Ｐ３を単独で使用したものである。各簡易排水装置Ｍ１〜Ｍ４の最下流側の簡易排水部材の排水口にはパイプＷ１〜Ｗ４が接続され、排水は該排水パイプを通じて橋脚、橋台にかからないように排出される。
【００４３】
上記図８の簡易排水装置において、簡易排水装置Ｍ３は図６に示したものであるが、Ｍ１，Ｍ２は両端側から中央部に傾斜した底面部材を有するもので、最下流側の簡易排水部材は図４に示したＰ７を使用したものである。各構成簡易排水部材の連接は、図５、図６に示したものと同じである。
【００４４】
簡易排水装置Ｍ１〜Ｍ４の間は、漏水防止のためにシール材でシールを行なってもよく、また端部の簡易排水部材の浅底壁面材の上端をカバーしてこの部分に流れ落ちる水を左右の簡易排水装置に導く導水部材を設置してもよい。
【００４５】
簡易排水部材の形状は特に限定されるものではないが、１個の長さが５００〜３０００ｍｍであることが好ましく、８００〜２０００ｍｍであることがより好ましい。底面部材並びに側面材の厚さは２〜１５ｍｍあることが好ましく、３〜１０ｍｍであることがより好ましい。底面部材の傾斜は２〜３０度あることが好ましく、３〜１５度であることがより好ましい。広幅部の間隔は３０〜５００ｍｍあることが好ましく、８０〜３００ｍｍであることがより好ましい。また側面材の高さ、即ち溝の最大深さは、１００〜１７００ｍｍあることが好ましく、１３０〜８００ｍｍであることがより好ましい。
【符号の説明】
【００４６】
Ｐ        簡易排水部材
Ｍ        簡易排水装置
３０      側面材
３１      広幅部
３３      狭幅部
３５      段差
３９      深底壁面材
４１      排水口
４３      底面部材
【図１】
0005388733.tif 000002
【図２】
0005388733.tif 000003
【図３】
0005388733.tif 000004
【図４】
0005388733.tif 000005
【図５】
0005388733.tif 000006
【図６】
0005388733.tif 000007
【図７】
0005388733.tif 000008
【図８】
0005388733.tif 000009